(57)【特許請求の範囲】
【請求項１】
包装容器の外周面に巻き付けられるように貼付される包装容器用ラベルであって、
前記包装容器の外周面の周長より長い全長を有してその包装容器の外周面に両端の巻付け端部同士が所定の距離だけオーバーラップするように巻き付けられる本体ラベルと、
その本体ラベルの一方の巻き付け端部を含む端部領域に、上下方向において多段状にかつ横向きに配置された複数の分離ラベルと、を備え、
各分離ラベルの裏面には、前記包装容器にオーバーラップして巻き付けられる前記本体ラベルの外周面に貼着されて保持される粘着層を有し、その粘着層は前記包装容器から剥離されてその包装容器とは別異の他の対象物に再貼着可能な弱粘着性を有し、
前記本体ラベルの前記分離ラベルに対向する面には、該分離ラベルの裏面に形成された前記粘着層の粘着力を低減して該分離ラベルの分離および剥離を容易とする粘着力低減層が、前記分離ラベルと完全に重なり合うように形成され、
かつ、前記各分離ラベルの外端部には、粘着性を有しないかまたは減殺された非粘着性を裏面に備えたつまみ部を備え、使用者が指で該つまみ部をつまんで操作力を加えることにより、前記各分離ラベルを前記本体ラベルから分離するとともに、前記包装容器から剥離可能としたことを特徴とする包装容器用ラベル。
【請求項２】
前記複数の分離ラベルは、
前記本体ラベルの一方の巻き付け端部に、前記本体ラベルから分離可能に連結されるとともに、
上下方向に並ぶもの同士が互いに横方向に形成されたミシン目を連結部として連結され、複数本の該ミシン目が多段の分離ラベルを区画する境界とされている請求項１に記載の包装容器用ラベル。
【請求項３】
前記多段状の分離ラベルの、前記本体ラベルが前記包装容器に巻き付けられる巻付け方向の外端部に、前記つまみ部が上下方向において多段状に整列して配置されている請求項１または請求項２に記載の包装容器用ラベル。
【請求項４】
前記複数の分離ラベルは、
前記端部領域内に、各分離ラベルの輪郭を形成する閉じたミシン目により前記本体ラベルと区画されるとともに、
そのミシン目を連結部としてその本体ラベルに連結され、かつ各分離ラベルの横方向の一端部に前記つまみ部が形成され、
使用者がそのつまみ部をつまんでその分離ラベルを本体ラベルから分離した状態で、その本体ラベルには前記各分離ラベルの輪郭を形成する閉じたミシン目に対応する、ミシン目破断後の分離跡が穴状に残る請求項１に記載の包装容器用ラベル。
【発明の詳細な説明】
【技術分野】
【０００１】
本発明は、包装容器の外周面に巻き付けられるように貼付される包装容器用ラベルに関する。
【背景技術】
【０００２】
患者に施用される医薬や医療器具に患者と施用情報の照合を行えるバーコード付きラベルを貼付し、施用直前に患者と医薬情報を確認することにより医薬の過った施用を防止するとともに、このラベルを患者別、施用別に区分保管された医薬用袋に貼付することにより医薬の施用の間違いを防止する医薬施用管理方法が考案されている（特許文献１参照）。
【先行技術文献】
【特許文献】
【０００３】
【特許文献１】特開２００４−１７３８１０号公報
【発明の概要】
【発明が解決しようとする課題】
【０００４】
特許文献１の構成では、医薬の施用の間違いを防止することはできるが、薬品を複数の容器に小分けしたときの管理を行うことができないという問題がある。
【０００５】
上記問題を背景とし、本発明の課題は、薬品等の容器内の内容物を他の複数の容器に小分けしたときに、その内容物の管理を容易に行うことができる包装容器用ラベルを提供することにある。
【課題を解決するための手段及び発明の効果】
【０００６】
上記の課題を解決するために、本発明の包装容器用ラベルは、
包装容器の外周面に巻き付けられるように貼付される包装容器用ラベルであって、包装容器に巻き付けられる本体ラベルと、その本体ラベルの一方の巻き付け端部を含む端部領域に、上下方向において多段状にかつ横向きに配置された複数の分離ラベルと、を備え、
各分離ラベルの裏面には、包装容器の外周面、または包装容器にオーバーラップして巻き付けられる本体ラベルの外周面に貼着されて保持される粘着層を有し、その粘着層は包装容器または本体ラベルから剥離されてその包装容器とは別異の他の対象物に再貼着可能な弱粘着性を有し、本体ラベルの分離ラベルに対向する面には、該分離ラベルの裏面に形成された粘着層の粘着力を低減して該分離ラベルの分離および剥離を容易とする粘着力低減層が、分離ラベルと完全に重なり合うように形成され、
かつ、各分離ラベルの外端部には、粘着性を有しないかまたは減殺された非粘着性を裏面に備えたつまみ部を備え、このつまみ部を使用者が指でつまんで操作力を加えることにより、各分離ラベルを本体ラベルから分離するとともに、包装容器または本体ラベルから剥離可能としたことを特徴とする。
【０００７】
上記構成によって、分離ラベルを本体ラベルから容易に分離・剥離することが可能となり、薬品等の容器内の内容物を他の複数の容器に小分けしたときに、その内容物の管理を容易に行うことができる。
【０００８】
また、上記の課題を解決するために、本発明の包装容器用ラベルは、
包装容器の外周面に巻き付けられるように貼付される包装容器用ラベルであって、包装容器の外周面の周長より長い全長を有してその包装容器の外周面に両端の巻付け端部同士が所定の距離だけオーバーラップするように巻き付けられる本体ラベルと、その本体ラベルの一方の巻き付け端部を含む端部領域に、上下方向において多段状にかつ横向きに配置された複数の分離ラベルと、を備え、
各分離ラベルの裏面には、包装容器にオーバーラップして巻き付けられる本体ラベルの外周面に貼着されて保持される粘着層を有し、その粘着層は包装容器から剥離されてその包装容器とは別異の他の対象物に再貼着可能な弱粘着性を有し、本体ラベルの分離ラベルに対向する面には、該分離ラベルの裏面に形成された粘着層の粘着力を低減して該分離ラベルの分離および剥離を容易とする粘着力低減層が、分離ラベルと完全に重なり合うように形成され、
かつ、各分離ラベルの外端部には、粘着性を有しないかまたは減殺された非粘着性を裏面に備えたつまみ部を備え、使用者が指で該つまみ部をつまんで操作力を加えることにより、各分離ラベルを本体ラベルから分離するとともに、包装容器から剥離可能としたことを特徴とする。
【０００９】
上記構成によって、本体ラベルが包装容器の外周面の周長さより長い全長を有してその包装容器の外周面に両端の巻付け端部同士が所定の距離だけオーバーラップするように巻き付けられる場合にも、分離ラベルを本体ラベルから容易に分離・剥離することが可能となり、薬品等の容器内の内容物を他の複数の容器に小分けしたときに、その内容物の管理を容易に行うことができる。
【００１０】
また、上記の課題を解決するために、本発明の包装容器用ラベルは、
包装容器の外周面に巻き付けられるように貼付される包装容器用ラベルであって、包装容器の外周面の周長さより短い全長を有してその包装容器の外周面に両端の巻き付け端部同士が所定の距離だけ離間するように巻き付けられる本体ラベルと、その本体ラベルの一方の巻き付け端部に、上下方向において多段状にかつ横向きに配置された複数の分離ラベルとを備え、
それらの多段状に配置された複数の分離ラベルは、本体ラベルから分離可能な連結部を介してその本体ラベルに連結され、かつ各分離ラベルの裏面には、包装容器にオーバーラップして巻き付けられる本体ラベルの外周面に貼着されて保持される粘着層を有し、その粘着層は本体ラベルの外周面から剥離されて包装容器とは別異の他の対象物に再貼着可能な弱粘着性を有し、
かつ、各分離ラベルの外端部には、粘着性を有しないかまたは減殺された非粘着性を裏面に備えたつまみ部を備え、このつまみ部を使用者が指でつまんで操作力を加えることにより、連結部において各分離ラベルを本体ラベルから分離するとともに、本体ラベルの外周面から剥離可能としたことを特徴とする。
【００１１】
上記構成によって、本体ラベルが包装容器の外周面の周長さより短い全長を有してその包装容器の外周面に両端の巻き付け端部同士が所定の距離だけ離間するように巻き付けられる場合にも、分離ラベルを本体ラベルから容易に分離・剥離することが可能となり、薬品等の容器内の内容物を他の複数の容器に小分けしたときに、その内容物の管理を容易に行うことができる。
【００１２】
また、本発明の包装容器用ラベルにおける複数の分離ラベルは、本体ラベルの一方の巻き付け端部に、本体ラベルから分離可能に連結されるとともに、上下方向に並ぶもの同士が互いに横方向に形成されたミシン目を連結部として連結され、複数本の該ミシン目が多段の分離ラベルを区画する境界とされている。
【００１３】
上記構成によって、分離ラベルを本体ラベルから容易に分離することが可能となる。
【００１４】
また、本発明の包装容器用ラベルは、多段状の分離ラベルの、本体ラベルが包装容器に巻き付けられる巻付け方向の外端部に、つまみ部が上下方向において多段状に整列して配置されている。
【００１５】
上記構成によって、分離ラベルを分離し易くなるとともに、分離ラベルを分離した後の、ラベルの外観上の見栄えも悪化しない。
【００１６】
また、本発明の包装容器用ラベルにおける複数の分離ラベルは、端部領域内に、各分離ラベルの輪郭を形成する閉じたミシン目により本体ラベルと区画されるとともに、そのミシン目を連結部としてその本体ラベルに連結され、かつ各分離ラベルの横方向の一端部につまみ部が形成され、使用者がそのつまみ部をつまんでその分離ラベルを本体ラベルから分離した状態で、その本体ラベルには各分離ラベルの輪郭を形成する閉じたミシン目に対応する、ミシン目破断後の分離跡が穴状に残る。
【００１７】
上記構成によって、分離ラベルのつまみ部が包装容器用ラベルの端部で浮き上がった構成とはならないので、指や他の物体に引っ掛かって、剥がすつもりのない分離ラベルが剥がれてしまうということはない。
【図面の簡単な説明】
【００１８】
【図１】包装容器用ラベルの表面図（実施例１）。
【図２】図１の包装容器用ラベルの裏面図（実施例１）。
【図３】図１の包装容器用ラベルの断面図（実施例１）。
【図４】図１の包装容器用ラベルを包装容器に貼付した例を示す図（実施例１）。
【図５】図４の包装容器の底面から見た断面図（実施例１）。
【図６】包装容器用ラベルの表面図（実施例２）。
【図７】図６の包装容器用ラベルの裏面図（実施例２）。
【図８】図６の包装容器用ラベルの断面図（実施例２）。
【図９】図６の包装容器用ラベルを包装容器に貼付した例を示す図（実施例２）。
【図１０】図９の包装容器の上側から見た断面図（実施例２）。
【発明を実施するための形態】
【００１９】
以下、本発明の実施形態を、図面を参照しながら説明する。
【実施例１】
【００２０】
図１に、本発明にかかる包装容器用ラベル１の第１の実施形態の表面図を示す。図２に、図１の包装容器用ラベル１の裏面図（表面側から見た透視図）を示す。また、図３に、図１の包装容器用ラベル１の分離ラベルにおける断面図を示す。
【００２１】
包装容器用ラベル１は、例えば紙やポリエステル系等の合成樹脂シート、合成紙などで形成されている。包装容器用ラベル１は、本体ラベル１１，分離ラベル群１２を含んで構成される。本体ラベル１１の表面（表面層１１ａ）には、例えば、薬剤情報が印刷されている。また、裏面には、包装容器５（図４参照）に貼り付けるための例えば弱粘着性の粘着力を有する粘着層１１ｂが形成されている。
【００２２】
分離ラベル群１２は、本体ラベル１１の一方の巻き付け端部に、上下方向において多段状にかつ横向きに配置された複数の分離ラベル１５を備え、個々の分離ラベル１５には、表面に例えば薬剤情報が印刷された表示部１５ａと、本体ラベル１１からの分離を容易とするために、上下方向において多段状に整列して配置されたつまみ部１７が設けられている。
【００２３】
各分離ラベル１５は、本体ラベル１１から分離可能な連結部（ミシン目１４ａ）を介して本体ラベル１１に連結され、さらに、上下方向に並ぶもの同士が互いに横方向に形成されたミシン目１４ｂを連結部として連結され、複数本の該ミシン目１４ｂが多段の分離ラベルを区画する境界となっている。
【００２４】
また、各分離ラベル１５の裏面には、本体ラベル１１の外周面に貼着されて保持される粘着層１５ｂを有し、粘着層１５ｂは包装容器５から剥離されて包装容器５とは別異の他の対象物に再貼着可能な弱粘着性を有し、かつ、各分離ラベル１５の外端部のつまみ部１７は、例えばシリコンの微細粉末が塗布されたシリコン層を含んで形成される、粘着性を有しないかまたは減殺された非粘着性を有した粘着力低減層１６を裏面に備えている。
【００２５】
また、各ミシン目１４ａ，１４ｂの周囲にも粘着力低減層１６を設けてもよい。このようにすることで、分離ラベル１５の分離・剥離をさらに行い易くすることができる。
【００２６】
図４に、図１の包装容器用ラベル１を円筒状の包装容器５に貼り付けた状態の正面図を示す。図５に、図４における包装容器５の底面から見た断面図を示す。包装容器用ラベル１は、包装容器５の外周面の周長より短い全長を有しており、包装容器５の外周面に両端の巻き付け端部同士が所定の距離だけ離間するように巻き付けられる。なお、図５において、粘着層１５ｂは包装容器５に貼り付いていないように描かれているが、説明のため粘着力低減層１６を強調しているためで、実際には粘着層１５ｂは包装容器５に貼り付いている。
【００２７】
包装容器５から、別の容器に内容物の一部を移す（いわゆる「小分けする」）とき、使用者が指でつまみ部１７をつまんで操作力を加えることにより、各分離ラベル１５を本体ラベル１１から分離するとともに、包装容器５から剥離可能となり別の容器に貼り付けることができる。
【実施例２】
【００２８】
図６に、本発明にかかる容器包装ラベル２の第２の実施形態の表面図を示す。図７に、図６の容器包装ラベル２の裏面図（表面側から見た透視図）を示す。また、図８に、図１の容器包装ラベル２の分離ラベル２２における断面図を示す。容器包装ラベル２は、例えば紙やポリエステル系等の合成樹脂シート、合成紙などで形成されている。
【００２９】
図６のように、容器包装ラベル２は、本体ラベル２１，分離ラベル２２を含んで構成される。本体ラベル２１の表面（表面層２１ａ）には、例えば、薬剤情報が印刷されている。
【００３０】
分離ラベル２２は、本体ラベル２１の一方の巻き付け端部を含む端部領域に、上下方向において多段状にかつ横向きに配置され、各分離ラベル２２の輪郭を形成する閉じたミシン目２４により本体ラベル２１と区画される。分離ラベル２２は、ミシン目２４により本体ラベル２１から分離可能となっている。分離ラベル２２の表面２２ａには、例えば、薬剤情報が印刷されている。また、分離ラベル２２の外端部には、本体ラベル２１からの切り離しを容易とするために、つまみ部２３が設けられている。
【００３１】
図７，図８のように、本体ラベル２１および分離ラベル２２の裏面には、包装容器５（図９参照）から剥離されて包装容器５とは別異の他の対象物に再貼着可能な弱粘着性を有する粘着剤により構成される粘着層２１ｂ，２２ｂが形成されている。但し、つまみ部２３の裏面は、例えばシリコンの微細粉末が塗布されたシリコン層を含んで形成される、粘着性を有しないかまたは減殺された非粘着性を有する粘着力低減層２２ｃ（いわゆる糊殺し層）が形成されている。また、ミシン目２４の周囲にも粘着力低減層２２ｃを形成してもよい。また、本体ラベル２１の表面の分離ラベル２２と重なり合う領域にも、上述と同様の粘着力低減層２５が形成されている。
【００３２】
図９に、図６の包装容器用ラベル２を円筒状容器５に貼り付けた状態の正面図を示す。図１０に、図９における円筒状の包装容器５の上側から見た断面図を示す。図９，図１０のように、包装容器用ラベル２の包装容器５の周方向の長さは、包装容器５の外周面の周長より長い全長を有して、包装容器５の外周面に両端の巻付け端部同士が所定の距離（例えば、分離ラベル２２と粘着力低減層２５とが完全に重なり合う長さ）だけオーバーラップするように巻き付けられる。なお、図１０において、粘着層２２ｂは包装容器５に貼り付いていないように描かれているが、説明のため粘着力低減層２２ｃを強調しているためで、実際には粘着層２２ｂは包装容器５に貼り付いている。
【００３３】
包装容器５から、別の容器に内容物の一部を移す（いわゆる「小分けする」）とき、使用者が指でつまみ部２３をつまんで操作力を加えることにより、各分離ラベル２２を本体ラベル２１から分離するとともに、包装容器５から剥離可能となり別の容器に貼り付けることができる。このとき、本体ラベル２１には各分離ラベル２２の輪郭を形成する閉じたミシン目２４に対応する、ミシン目破断後の分離跡が穴状に残る。
【００３４】
なお、実施例１の構成で、包装容器用ラベル１の包装容器５の周方向の長さは、包装容器５の外周面の周長より長い全長を有して、包装容器５の外周面に両端の巻付け端部同士が所定の距離（例えば、分離ラベル群１２が本体ラベル１１に完全に重なり合う長さ）だけオーバーラップするように巻き付けられる構成としてもよい。
【００３５】
また、実施例２の構成で、包装容器用ラベル２は、包装容器５の外周面の周長より短い全長を有して、包装容器５の外周面に両端の巻き付け端部同士が所定の距離だけ離間するように巻き付けられる構成としてもよい。
【００３６】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。例えば、本発明のラベルは、錠剤、カプセル、細粒、顆粒、散剤、液剤などの医薬品や、医薬品以外の内容物を収納した容器（例えば多角形状の容器でも）に適用してもよい。
【符号の説明】
【００３７】
１    包装容器用ラベル（実施例１）
２    包装容器用ラベル（実施例２）
５    包装容器
１１    本体ラベル
１１ｂ  粘着層
１２    分離ラベル群
１４ａ，１４ｂ  ミシン目
１５    分離ラベル
１５ｂ  粘着層
１６    粘着力低減層
１７    つまみ部
２１    本体ラベル
２１ｂ  粘着層
２２    分離ラベル
２２ｂ  粘着層
２２ｃ  粘着力低減層
２３    つまみ部
２４    ミシン目
２５    粘着力低減層
【図１】
0005441522.tif 000002
【図２】
0005441522.tif 000003
【図３】
0005441522.tif 000004
【図４】
0005441522.tif 000005
【図５】
0005441522.tif 000006
【図６】
0005441522.tif 000007
【図７】
0005441522.tif 000008
【図８】
0005441522.tif 000009
【図９】
0005441522.tif 000010
【図１０】
0005441522.tif 000011